(57)【要約】【課題】低消費電力でカーソル移動およびジェスチャーパターンの命令をモード切り替えなしに入力できる操作部を有する放送受信装置を提供する。【解決手段】ジェスチャーパターンを入力するために表面をなぞられた軌跡を読み取る第１の入力手段と、前記第１の入力手段で読み取られた前記軌跡をジェスチャーパターン情報に変換する第１の制御手段と、記第１の制御手段で変換された前記ジェスチャーパターン情報を送信する送信手段とを有する遠隔操作手段と、前記送信手段で送信された前記ジェスチャーパターン情報を受信する受信手段と、前記受信手段で受信した前記ジェスチャーパターン情報から前記ジェスチャーパターンを特定し、前記ジェスチャーパターンがカーソルの方向移動の入力かコマンドの入力かを特定し、この特定結果に応じた動作指示を出力する第２の制御手段とを有する。【選択図】    図３
2011082609.tif 000002
【特許請求の範囲】
【請求項１】
ジェスチャーパターンを入力するために表面をなぞられた軌跡を読み取る第１の入力手段と、
前記第１の入力手段で読み取られた前記軌跡をジェスチャーパターン情報に変換する第１の制御手段と、
前記第１の制御手段で変換された前記ジェスチャーパターン情報を送信する送信手段と、
を有する遠隔操作手段と、
前記送信手段で送信された前記ジェスチャーパターン情報を受信する受信手段と、
前記受信手段で受信した前記ジェスチャーパターン情報から前記ジェスチャーパターンを特定し、前記ジェスチャーパターンがカーソルの方向移動の入力かコマンドの入力かを特定し、この特定結果に応じた動作指示を出力する第２の制御手段と、
を有することを特徴とする放送受信装置。
【請求項２】
前記第１の制御手段は、前記軌跡をＸ、Ｙ座標系を用いて前記ジェスチャーパターン情報に変換することを特徴とする請求項１記載の放送受信装置。
【請求項３】
前記第２の制御手段は、前記ジェスチャーパターン情報と前記ジェスチャーパターンを対応付けた辞書情報に基づいて、前記ジェスチャーパターンを特定することを特徴とする請求項１記載の放送受信装置。
【請求項４】
前記カーソルの縦、横への方向移動を入力する第２の入力手段をさらに有し、
前記第２の制御手段は、前記第１の入力手段による入力と並行して前記第２の入力手段により入力された場合、前記第１の入力手段及び前記第２の入力手段のいずれかにより入力された前記カーソルの方向移動の動作指示を出力することを特徴とする請求項１記載の放送受信装置。
【請求項５】
前記第２の入力手段は、前記第１の入力手段の領域内に設けられていることを特徴とする請求項４記載の放送受信装置。
【請求項６】
前記第２の制御手段は、前記第１の入力手段による前記ジェスチャーパターンの入力を縦、横に加えて斜めへの前記カーソルの方向移動についても特定することを特徴とする請求項１記載の放送受信装置。
【請求項７】
前記第２の制御手段は、前記受信手段が連続して受信した前記ジェスチャーパターン情報が連続した前記カーソルの方向移動の入力と特定した場合、前記連続した前記カーソルの方向移動を重畳してカーソルの移動方向および移動距離を特定して前記動作指示を出力することを特徴とする請求項１記載の放送受信装置。
【請求項８】
前記第２の制御手段は、番組表画面で前記カーソルの横への方向移動が入力されたと特定した場合、前記カーソルの位置する番組欄のマスにかかる基準時刻に沿った前記カーソルの横への方向移動の前記動作指示を出力し、前記番組表画面で前記カーソルの斜めへの方向移動が入力されたと特定した場合、前記基準時刻から一定時間遡った時刻または前記一定時間進めた時刻に沿った前記カーソルの斜めへの方向移動の動作指示を出力することを特徴とする請求項１記載の放送受信装置。
【請求項９】
リモートコントローラは、
ジェスチャーパターンを入力するために表面をなぞられた軌跡を読み取り、
前記軌跡をジェスチャーパターン情報に変換し、
前記ジェスチャーパターン情報を送信し、
前記放送受信装置は、
前記ジェスチャーパターン情報を受信し、
前記ジェスチャーパターン情報から前記ジェスチャーパターンを特定し、
前記ジェスチャーパターンがカーソルの方向移動の入力がコマンドの入力かを特定し、
この特定結果に応じた動作指示を出力する、
ことを特徴とする動作制御方法。
【発明の詳細な説明】
【技術分野】
【０００１】
この発明は、リモートコントローラによる入力に応じて画面の表示を制御する放送受信装置における表示制御技術に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。このような背景から、デジタルテレビジョン放送受信装置の高機能化、多機能化が進んできる。
【０００３】
例えば、デジタルテレビジョン放送受信装置は、ＥＰＧ（Electric Program Guide）情報を受信し、ＥＰＧ画面を表示する。ユーザは、ＥＰＧ画面に表示されている番組情報を参照して、録画予約する。デジタルテレビジョン放送受信装置は、録画予約に応じて録画設定をし、チャンネルの選択に基づいて選局する。
【０００４】
さらに、デジタルテレビジョン放送受信装置には、複数の各種端子が設けられている。デジタルテレビジョン放送受信装置は、各種端子を介して外部機器またはネットワークと接続することができる。デジタルテレビジョン放送受信装置は、映像データまたは画像データを取り込み、映像表示器に表示することができる。
【０００５】
ユーザは、視聴チャンネルの選択のみならずＥＰＧ画面上でのチャンネル選択、映像表示器に表示する映像データまたは画像データの選択などについてもリモートコントローラを用いてカーソル移動を操作する。
【０００６】
特許文献１には、リモコンと放送受信装置からなる送受信システムであって、リモコンは上面にタッチパッドを備え、１２区画に区切られ各区画はテレビのチャンネルに対応付けられ、タッチパッドの押下によるチャンネル選択、タッチパッドに触れることによるカーソル移動、ジェスチャーパターンの入力に基づいて放送受信装置に命令を送信し、放送受信装置は命令に対応する動作を実行する構成が開示されている。
【先行技術文献】
【特許文献】
【０００７】
【特許文献１】特開２００８−１４０１８２号公報
【発明の概要】
【発明が解決しようとする課題】
【０００８】
しかしながら、特許文献１には、放送受信装置がリモコンからのカーソル移動、ジェスチャーパターンの命令を受信した場合、放送受信装置でどのような動作を実行するかについて具体的な記載がなされていない。
【０００９】
さらに、ＰＣ(personal computer)用タッチパッドがカーソルの方向移動に用いられる例がある。ＰＣ用タッチパッドは、有線、無線ともに用いられている。映像表示器は、ＧＵＩ(graphical user interface)上どこにいるかをマウスアイコンやカーソル等で常時表示している。ユーザがＰＣ用タッチパッド上でカーソル移動を操作すると、映像表示器におけるカーソルも移動する。ユーザは、カーソル欄を選択する場合、ＰＣ用タッチパッドとは異なるキーなどで選択しなければならない。ユーザは、ＰＣ用タッチパッドの同じ位置をタップ、ダブルタップしてカーソル欄を選択することも可能である。
【００１０】
しかしながら、ＰＣ用タッチパッドは、ジェスチャーパターンを利用したコマンドを利用できない。したがって、ＰＣ用タッチパッドは、カーソル移動、ジェスチャーパターンをモードの切り替えなしに行うことができない。さらに、ＰＣ用タッチパッドをテレビジョン放送受信装置に用いた場合、ユーザは、画面位置からある程度離れた位置で視聴するため、映像表示器に表示されているマウスアイコンの位置の把握が困難である。
【００１１】
さらに、液晶タッチパッドがカーソルの方向移動に用いられる例がある。液晶タッチパッドを操作部としてテレビジョン放送受信装置、その他ＡＶ(audiovisual)機器に用いた場合、操作部と本体が離れているため、双方通信を必要とする。結果として、コマンドの送受信の手間がかかり、操作部の消費電力がかさむという問題がある。
【００１２】
この発明は、低消費電力でカーソル移動およびジェスチャーパターンの命令をモード切り替えなしに入力できる操作部を有する放送受信装置を提供することを目的とする。
【課題を解決するための手段】
【００１３】
本発明に係る放送受信装置は、ジェスチャーパターンを入力するために表面をなぞられた軌跡を読み取る第１の入力手段と、前記第１の入力手段で読み取られた前記軌跡をジェスチャーパターン情報に変換する第１の制御手段と、前記第１の制御手段で変換された前記ジェスチャーパターン情報を送信する送信手段とを有する遠隔操作手段と、前記送信手段で送信された前記ジェスチャーパターン情報を受信する受信手段と、前記受信手段で受信した前記ジェスチャーパターン情報から前記ジェスチャーパターンを特定し、前記ジェスチャーパターンかカーソルの方向移動の入力がコマンドの入力かを特定し、この特定結果に応じた動作指示を出力する第２の制御手段とを有する。
【発明の効果】
【００１４】
上記した発明によれば、低消費電力でカーソル移動およびジェスチャーパターンの命令をモード切り替えなしに入力できる操作部を有する放送受信装置を提供できる。
【図面の簡単な説明】
【００１５】
【図１】本実施形態に係るデジタルテレビジョン放送受信装置の概略構成を示すブロック図。
【図２】本実施形態に係るデジタルテレビジョン放送受信装置に用いられるリモートコントローラの外観図。
【図３】本実施形態に係るリモートコントローラの概略構成を示すブロック図。
【図４】本実施形態に係るカーソルを移動する場合のジェスチャーパターンを示す図。
【図５】本実施形態に係るカーソルの方向移動を説明する図。
【図６】本実施形態に係る各種コマンド入力のジェスチャーパターンを示す図。
【図７】本実施形態に係るデジタルテレビジョン放送受信装置におけるジェスチャーパターンの解析を説明するフローチャート。
【図８】本実施形態に係る番組表におけるカーソルの方向移動を説明する図。
【図９】本実施形態に係る写真リストの画面図。
【図１０】本実施形態に係る録画番組リストの画面図。
【発明を実施するための最良の形態】
【００１６】
以下、図面を参照し、本実施形態について説明する。図１は、本実施形態に係るデジタルテレビジョン放送受信装置１の概略構成を示すブロック図である。すなわち、ＢＳ／ＣＳデジタル放送受信用のアンテナで受信した衛星デジタルテレビジョン放送信号は、入力端子１１を介して衛星デジタル放送チューナ１２に供給される。衛星デジタル放送チューナ１２は、所望のチャンネルの放送信号を選局する。
【００１７】
そして、衛星デジタル放送チューナ１２で選局された放送信号は、ＰＳＫ（phase shift keying）復調モジュール１３に供給されて、デジタルの映像信号及び音声信号に復調された後、信号処理モジュール１４に出力される。
【００１８】
また、地上波放送受信用のアンテナ１５で受信した地上デジタルテレビジョン放送信号は、入力端子１６を介して視聴用地上デジタル放送チューナ１７に供給される。視聴用地上デジタル放送チューナ１７は、ユーザが所望するチャンネルの放送信号を切り替えて選局する。視聴用地上デジタル放送チューナ１７で選局された放送信号は、ＯＦＤＭ（orthogonal frequency division multiplexing）復調モジュール１８に供給されて、デジタルの映像信号及び音声信号に復調された後、上記信号処理モジュール１４に出力される。
【００１９】
第１の録画用地上デジタル放送チューナ１９で選局された放送信号は、ＯＦＤＭ復調モジュール２０に供給されて、デジタルの映像信号及び音声信号に復調された後、上記信号処理モジュール１４に出力される。
【００２０】
第２の録画用地上デジタル放送チューナ２１とＯＦＤＭ復調モジュール２２の組、第３の録画用地上デジタル放送チューナ２３とＯＦＤＭ復調モジュール２４の組、第４の録画用地上デジタル放送チューナ２５とＯＦＤＭ復調モジュール２６の組、第５の録画用地上デジタル放送チューナ２７とＯＦＤＭ復調モジュール２８の組、第６の録画用地上デジタル放送チューナ２９とＯＦＤＭ復調モジュール３０の組、第７の録画用地上デジタル放送チューナ３１とＯＦＤＭ復調モジュール３２の組、第８の録画用地上デジタ放送チューナ３３とＯＦＤＭ復調モジュール３４の組についても同様である。
【００２１】
本実施形態では、デジタルテレビジョン放送受信装置１が、録画用地上デジタル放送チューナを８つ備えるケースについて説明するが、録画用地上デジタル放送チューナを７つ以下または９以上備える構成としてもよい。
【００２２】
上記信号処理モジュール１４は、ＰＳＫ復調モジュール１３、ＯＦＤＭ復調モジュール１８、ＯＦＤＭ復調モジュール２０、ＯＦＤＭ復調モジュール２２、ＯＦＤＭ復調モジュール２４、ＯＦＤＭ復調モジュール２６、ＯＦＤＭ復調モジュール２８、ＯＦＤＭ復調モジュール３０、ＯＦＤＭ復調モジュール３２、ＯＦＤＭ復調モジュール３４からそれぞれ供給されたデジタルの映像信号及び音声信号に対して、選択的に所定のデジタル信号処理を施し、グラフィック処理モジュール３６及び音声処理モジュール３９に出力している。
【００２３】
また、上記信号処理モジュール１４には、複数（図示の場合は４つ）の入力端子３５ａ，３５ｂ，３５ｃ，３５ｄが接続されている。これら入力端子３５ａ〜３５ｄは、それぞれ、アナログの映像信号及び音声信号を、デジタルテレビジョン放送受信装置１の外部から入力可能とするものである。
【００２４】
この信号処理モジュール１４は、各入力端子３５ａ〜３５ｄからそれぞれ供給されたアナログの映像信号及び音声信号を選択的にデジタル化し、そのデジタル化された映像信号及び音声信号に対して所定のデジタル信号処理を施した後、グラフィック処理モジュール３６及び音声処理モジュール３９に出力している。
【００２５】
このうち、グラフィック処理モジュール３６は、信号処理モジュール１４から供給されるデジタルの映像信号に、ＯＳＤ（on screen display）信号生成モジュール３７で生成されるＯＳＤ信号を重畳して出力する機能を有する。このグラフィック処理モジュール３６は、信号処理モジュール１４の出力映像信号と、ＯＳＤ信号生成モジュール３７の出力ＯＳＤ信号とを選択的に出力すること、また、両出力をそれぞれ画面の半分を構成するように組み合わせて出力することができる。
【００２６】
グラフィック処理モジュール３６から出力されたデジタルの映像信号は、映像処理モジュール３８に供給される。映像処理モジュール３８により処理された映像信号は、映像表示器６１に供給され、また出力端子４１にも供給される。映像表示器６１は、映像信号に基づく映像を表示し、出力端子４１に対して外部機器が接続されると、出力端子４１に供給された映像信号は、外部機器へ入力される。
【００２７】
また、上記音声処理モジュール３９は、入力されたデジタルの音声信号を、前記スピーカ６２で再生可能なフォーマットのアナログ音声信号に変換した後、スピーカ６２に出力して音声再生させるとともに、出力端子４０を介して外部に導出させる。
【００２８】
ここで、このデジタルテレビジョン受像機１は、上記した各種の受信動作を含むその全ての動作を制御モジュール４２によって統括的に制御されている。この制御モジュール４２は、ＣＰＵ（central processing unit）等を内蔵しており、前記操作モジュール６３からの操作情報、または、リモートコントローラ１０から送出され受光モジュール６５を介して受信した操作情報を受けて、その操作内容が反映されるように各モジュールをそれぞれ制御している。
【００２９】
制御モジュール４２は、主として、そのＣＰＵが実行する制御プログラムを格納したＲＯＭ（read only memory）４３と、該ＣＰＵに作業エリアを提供するＲＡＭ（random access memory）４４と、各種の設定情報及び制御情報等が格納される不揮発性メモリ４５とを利用している。
【００３０】
信号処理モジュール１４には、内蔵ＨＤＤ（hard disk drive）４６が接続されている。内蔵ＨＤＤ４６は、後述するマルチチャンネル同時自動録画により、第１の録画用地上デジタル放送チューナ１９から第８の録画用地上デジタル放送チューナ３３それぞれで選局した放送信号の番組の映像信号及び音声信号を同時に記憶する。本実施形態では、デジタルテレビジョン放送受信装置１が、内蔵ＨＤＤを１つ備えるケースについて説明するが、内蔵ＨＤＤを２つ以上備える構成としてもよい。
【００３１】
本実施形態では、視聴用地上デジタル放送チューナ１７は、ユーザがリモートコントローラ１０を用いて視聴したいチャンネルを選択した場合、対応するチャンネルに切り替えて放送信号を選局する。映像表示器６１は、その放送信号に基づいて番組の映像を表示する。
【００３２】
第１の録画用地上デジタル放送チューナ１９から第８の録画用地上デジタル放送チューナ３３それぞれは、ユーザがリモートコントローラ１０を用いて指定したチャンネルに対応するサービスＩＤ（チャンネル）の放送信号を常に選局するように設定されている。第１の録画用地上デジタル放送チューナ１９から第８の録画用地上デジタル放送チューナ３３それぞれは、録画用のチューナとして用いられる。
【００３３】
また、この制御モジュール４２は、カードＩ／Ｆ（Interface）４７を介して、メモリカード６６が装着可能なカードホルダ４８に接続されている。これによって、制御モジュール４２は、カードホルダ４８に装着されたメモリカード６６と、カードＩ／Ｆ４７を介して情報伝送を行なうことができる。
【００３４】
また、制御モジュール４２は、通信Ｉ／Ｆ４９を介してＬＡＮ(local area network)端子６７に接続されている。これにより、制御モジュール４２は、ＬＡＮ端子６７に接続されたＬＡＮ対応のＨＤＤ２５と、通信Ｉ／Ｆ４９を介して情報伝送を行なうことができる。
【００３５】
また、制御モジュール４２は、ＵＳＢ（universal serial bus） Ｉ／Ｆ５０を介してＵＳＢ端子６８に接続されている。これにより、制御モジュール４２は、ＵＳＢ端子６８に接続された各機器と、ＵＳＢ Ｉ／Ｆ５０を介して情報伝送を行なうことができる。
【００３６】
図２はリモートコントローラ１０の外観を示す図である。リモートコントローラ１０は、主として、タッチパッド１０ａ、タッチパッド１０ａの中心に決定キー１０ｂ、タッチパッド１０ａの上側に上方向移動キー１０ｃ、タッチパッド１０ａの下側に下方向移動キー１０ｄ、タッチパッド１０ａの左側に左方向移動キー１０ｅ、タッチパッド１０ａの右側に右方向移動キー１０ｆが設けられている。
【００３７】
タッチパッド１０ａは、後述するジェスチャーパターンのマニュプレーション指示に用いられる。ユーザは、タッチパッド１０ａを指でなぞることでジェスチャーパターンを指示する。本実施形態では、ジェスチャーパターンは、カーソルの方向移動およびそれ以外のコマンドを指す。決定キー１０ｂは、ユーザによる決定選択に用いられる。上方向移動キー１０ｃ、下方向移動キー１０ｄ、左方向移動キー１０ｅ、右方向移動キー１０ｆの方向移動キーは、方向移動キーは、タッチパッド１０ａの領域内に設けられている。つまり、タッチパッド１０ａと対向する面であって、タッチパッド１０ａよりもリモートコントローラ１０の内部側に方向移動キーが設けられている。
【００３８】
ここでは、タッチパッド１０ａは、決定キー１０ｂの中心から上方向移動キー１０ｃ、下方向移動キー１０ｄ、左方向移動キー１０ｅ、右方向移動キー１０ｆの設けられている方向がそれぞれ上下左右方向と設定されている。また、タッチパネル１０ａは、例えば、決定キー１０ｂの中心を０として、下方向移動キー１０ｄが設けられている側を負、上方向移動キー１０ｃが設けられている側を正としたｘ軸、左方向移動キー１０ｅが設けられている側を負、右方向移動キー１０ｆが設けられている側を正としたｙ軸が設定されている。
【００３９】
図３はリモートコントローラ１０の概略構成を示すブロック図である。リモートコントローラ１０は、タッチパッド１０ａ、ＧＵＩ制御モジュール１０１、メモリ１０２、送信モジュール１０３を有する。
【００４０】
タッチパッド１０ａは、ユーザがタッチパッド１０ａを指でなぞってジェスチャーパターンを指令した場合、そのジェスチャーパターンを読み取る。ＧＵＩ制御モジュール１０１は、ジェスチャーパターンをＸ、Ｙ座標情報に変換する。例えば、ＧＵＩ制御モジュール１０１は、ユーザがタッチパッド１０ａをなぞったジェスチャーパターンの軌跡をＸ、Ｙ座標情報として取得する。つまり、ＧＵＩ制御モジュール１０１は、ジェスチャーパターンの軌跡の始点の座標、終点の座標、これらの間の複数の中継点の座標をＸ、Ｙ座標情報として取得する。
【００４１】
メモリ１０２は、決定キー１０ｂなどの各種キーに対応するコマンドを記憶している。ＧＵＩ制御モジュール１０１は、決定キー１０ｂなどの各種キーの押下に基づいてメモリ１０２から対応するコマンドを取得する。
【００４２】
送信モジュール１０４は、タッチパッド１０ａでジェスチャーパターンが入力された場合、Ｘ、Ｙ座標情報を例えば赤外線を用いてデジタルテレビジョン放送受信装置１に送信する。また、送信モジュール１０４は、決定キー１０ｂなどの各種キーが押下された場合、対応するコマンドをデジタルテレビジョン放送受信装置１に送信する。
【００４３】
次に、タッチパッド１０ａにおけるジェスチャーパターンについて説明する。図４は、カーソルを移動する場合のジェスチャーパターンを示す図である。図５は、ＥＰＧ画面上におけるカーソルの方向移動の一例を示す図である。ここでは、ＥＰＧ画面（番組表）は、各番組欄のマスはそれぞれ同サイズであり、隣り合うマス同士の行および列が整列している場合について説明する。
【００４４】
はじめに、ユーザがリモートコントローラ１０の番組表キー１０ｇを押下すると、デジタルテレビジョン放送受信装置１の制御モジュール４２は、映像表示器６１にＥＰＧ画面を表示制御する。
【００４５】
ユーザは、例えば映像表示器６１に表示されたＥＰＧ画面上でカーソルを上方向に移動させたい場合、タッチパッド１０ａを決定キー１０ｂの位置から上方向になぞる。リモートコントローラ１０は、Ｘ、Ｙ座標情報をデジタルテレビジョン放送受信装置１に出力する。デジタルテレビジョン放送受信装置１の制御モジュール４２は、ＥＰＧ画面上でカーソルを１つ上方のマスに移動して表示制御する。
【００４６】
同様に、ユーザは、例えば映像表示器６１に表示されたＥＰＧ画面上でカーソルを右上方向に移動させたい場合、タッチパッド１０ａを決定キー１０ｂの位置から右上方向になぞる。デジタルテレビジョン放送受信装置１の制御モジュール４２は、ＥＰＧ画面上でカーソルを右上方向の直近のマスに移動して表示制御する。その他、下、左、右、右下、左上、左下方向についても同様である。ここでは、上、下、左、右、右上、右下、左上、左下の８方向に対するカーソルの方向移動について説明するが、これよりも多い方向に移動できるようにしてもよい。したがって、ユーザは、タッチパッド１０ａを指でなぞるだけで、カーソルを所望の位置まで最短距離、つまり最小の操作で移動することができる。
【００４７】
ユーザが、カーソルを斜め方向ではなく単純に上方向に移動させたい場合、上方向移動キー１０を押下すればよい。下、左、右方向の場合も同様である。リモートコントローラ１０の送信モジュール１０４は、押下されたキーに対応するコマンドをデジタルテレビジョン放送受信装置１に出力する。デジタルテレビジョン放送受信装置１の制御モジュール４２は、１回のキーの押下に従って、ＥＰＧ画面上でカーソルを上下左右いずれかの方向のマスに１つ移動して表示制御する。
【００４８】
制御モジュール４２は、ＥＰＧ画面上では、タッチパッド１０ａでジェスチャーパターンが入力された場合のＸ、Ｙ座標情報、上方向移動キー１０ｃ、下方向移動キー１０ｄ、左方向移動キー１０ｅ、右方向移動キー１０ｆが押下された場合のコマンドのいずれも許可してカーソルの移動を制御する。つまり、ユーザは、タッチパッド１０ａと上方向移動キー１０ｃなどの方向移動キーを並列して使用することができる。
【００４９】
したがって、ユーザは、カーソルを高速移動させたい場合はタッチパッド１０ａを操作し、カーソルを隣に確実に移動させたい場合は方向移動キーを操作すればよい。
【００５０】
図６は、各種コマンドを入力する場合のジェスチャーパターンを示す図である。ユーザは、例えば映像表示器６１に表示されたページを１つ上のページに切り換えたい場合、タッチパッド１０ａの決定キー１０ｂを通らず、左下の位置（第３象限）から左上の位置（第２象限）に向かう方向または右下の位置（第４象限）から右上の位置（第１象限）に向かう方向になぞる。リモートコントローラ１０は、Ｘ、Ｙ座標情報をデジタルテレビジョン放送受信装置１に出力する。デジタルテレビジョン放送受信装置１の制御モジュール４２は、ページを上方向に切り替えて映像表示器６１に表示制御する。同様に、ユーザは、例えば映像表示器６１に表示されたページを１つ下のページに切換えたい場合、タッチパッド１０ａの決定キー１０ｂを通らず、左上の位置（第２象限）から左下の位置（第３象限）に向かう方向または右上の位置（第１象限）から右下の位置（第４象限）に向かう方向になぞる。
【００５１】
ユーザは、例えば映像表示器６１に表示されたページを右に９０度回転させたい場合、タッチパッド１０ａの決定キー１０ｂを中心とした円弧を右回転方向に描くようになぞる。デジタルテレビジョン放送受信装置１の制御モジュール４２は、ページを右に９０度回転させて映像表示器６１に表示制御する。同様に、ユーザは、例えば映像表示器６１に表示されたページを左に９０度回転させたい場合、タッチパッド１０ａの決定キー１０ｂを中心とした円弧を左回転方向に描くようになぞる。
【００５２】
ユーザは、例えば映像表示器６１に表示されたページを拡大させたい場合、タッチパッド１０ａの決定キー１０ｂを通り、左下の位置（第３象限）から右上の位置（第１象限）に向かう方向になぞる。デジタルテレビジョン放送受信装置１の制御モジュール４２は、ページを拡大して映像表示器６１に表示制御する。同様に、ユーザは、例えば映像表示器６１に表示されたページを縮小拡大させたい場合、タッチパッド１０ａの決定キー１０ｂを通り、右上の位置（第１象限）から左下の位置（第３象限）に向かう方向になぞる。
【００５３】
つまり、カーソルを移動する場合のジェスチャーパターンとコマンドを入力する場合のジェスチャーパターンは異なる。コマンドの内容は図６に示したものに限られない。さらに、コマンドの内容とジェスチャーパターンの対応関係も図６に示したものに限られない。
【００５４】
次に、デジタルテレビジョン放送受信装置１におけるジェスチャーパターンの解析について説明する。図７は、デジタルテレビジョン放送受信装置１におけるジェスチャーパターンの解析を説明するフローチャートである。
【００５５】
はじめに、ユーザがリモートコントローラ１０のタッチパッド１０ａを指でなぞってジェスチャーパターンを指示すると、タッチパッド１０ａは、ジェスチャーパターンの軌跡を読み取る。ＧＵＩ制御モジュール１０１は、ジェスチャーパターンの軌跡をＸ、Ｙ座標情報に変換してユーザによる操作を特定する（ステップＳ１０１）。
【００５６】
送信モジュール１０４は、Ｘ、Ｙ座標情報をデジタルテレビジョン放送受信装置１に送信する（ステップＳ１０２）。送信モジュール１０４は、タッチパッド１０ａでジェスチャーパターンが入力される毎に、連続して時系列的にＸ、Ｙ座標情報をデジタルテレビジョン放送受信装置１に送信する。
【００５７】
デジタルテレビジョン放送受信装置１の制御モジュール４２は、受光モジュール６５を介して受信したＸ、Ｙ座標情報に基づいて、ユーザがリモートコントローラ１０で入力したジェスチャーパターンを判別する。ここで、不揮発性メモリ４５は、Ｘ、Ｙ座標情報とジェスチャーパターンの内容を対応付けたジェスチャーパターン辞書を記憶している。したがって、制御モジュール４２は、受信したＸ、Ｙ座標情報をジェスチャーパターン辞書とマッチングを取る（ステップＳ１０３）。そして、制御モジュール４２は、マッチングの取れたジェスチャーパターンを判別する。
【００５８】
次に、制御モジュール４２は、ジェスチャーパターンがカーソルの方向移動か否かを判別する（ステップＳ１０４）。ジェスチャーパターンがカーソルの方向移動である場合（ステップＳ１０４、ＹＥＳ）、制御モジュール４２は、カーソルを移動する方向を判別する（ステップＳ１０５）。次に、制御モジュール４２は、映像表示器６１の画面上のカーソル位置を所定のマスに移動してハイライトで表示制御する（ステップＳ１０６）。制御モジュール４２は、映像表示器６１の画面上のカーソル位置を移動した旨を各部に通知する。
【００５９】
ここで、制御モジュール４２は、連続して受信する複数のＸ、Ｙ座標情報からカーソルの方向移動が連続して入力されたと判断した場合、連続性による重畳したカーソルの方向と距離（マスの数）を計算し、カーソルを複数マス一気に移動させることもできる。
【００６０】
ジェスチャーパターンがカーソルの方向移動でない場合（ステップＳ１０４、ＮＯ）、制御モジュール４２は、ジェスチャーパターンがコマンドと判別する（ステップＳ１０７）。制御モジュール４２は、コマンドに従って、映像表示器６１の画面上の表示を変更する（ステップＳ１０８）
つまり、本実施形態では、制御モジュール４２は、ユーザが入力したジェスチャーパターンについて、Ｘ、Ｙ座標情報からカーソルの方向移動であるかコマンドであるかモードを切り替えることなく判別することができる。
【００６１】
次に、タッチパッド１０ａを用いたカーソルの方向移動の例について説明する。図８は、ＥＰＧ画面上におけるカーソルの方向移動の一例を示す図である。図５では、各番組欄のマスが同サイズであり、隣り合うマス同士の行および列が整列している場合について説明したが、実際は、番組ごとに開始時刻、終了時刻、放送時間が異なるため、ＥＰＦ画面における各番組欄のマスのサイズは大きく異なる。
【００６２】
図８に示すように、現在カーソルがチャンネル２の番組Ａのマスに位置する。番組Ａの右側には、チャンネル３の番組Ｂのマスが配置されている。番組Ｂの開始時刻は、番組Ａの開始時刻よりも早い。番組Ｂの終了時刻は、番組Ａの終了時刻よりも遅い。また、番組Ｂの直前の番組Ｃの終了時刻は、番組Ａの開始時刻よりも早い。つまり、番組Ａのマスは、番組Ｃのマスと行方向に一部分も対向していない。したがって、番組Ａのマスの右方向、右上方向、右下方向は全て番組Ｂのマスとも言える。言い換えると、番組Ａのマスの右上方向が番組Ｃのマスとは言い難い。
【００６３】
チャンネル１の番組Ｄの終了時刻は、番組Ａの開始時刻よりも早い。チャンネル１の番組Ｅの開始時刻は、番組Ａの終了時刻よりも遅い。番組Ａのマスは、番組Ｄのマスおよび番組Ｅのマスと行方向に一部分も対向接していない。したがって、番組Ａのマスの左上方向が番組Ｂのマス、左下方向が番組Ｅのマスとは言い難い。
【００６４】
そこで本実施形態では、制御モジュール４２は、タッチパッド１０ａによるカーソルの方向移動の入力に基づいて、以下のように図８に示すＥＰＧ画面上でカーソルを移動する。はじめに、制御モジュール４２は、ＥＰＧ画面上で現在カーソルが位置するマスについて基準時刻（ａ）を認定する。基準時刻（ａ）は、例えば、番組Ａの放送時間にかかるＸ時０分や、Ｘ時３０分など区切りのいい時刻である。基準時刻（ａ）は、ユーザが任意で設定できる。
【００６５】
ユーザがタッチパッド１０ａで右方向へのカーソルの移動を入力した場合、制御モジュール４２は、チャンネル２の列の右側であるチャンネル３の列から基準時刻（ａ）にかかる番組Ｂのマスにカーソルを移動する。同様に、ユーザがタッチパッド１０ａで左方向へのカーソルの移動を入力した場合、制御モジュール４２は、チャンネル２の列の左側であるチャンネル１の列から基準時刻（ａ）にかかる番組のマスにカーソルを移動する。つまり、左右方向のカーソルの移動は、基準時刻（ａ）を基準としている。
【００６６】
ここで、制御モジュール４２は、ＥＰＧ画面上で現在カーソルが位置するマスについて基準時刻（ａ）を認定するとともに、基準時刻（ｂ）、基準時刻（ｃ）も設定する。基準時刻（ｂ）は、基準時刻（ａ）から一定時間遡ってシフトした時刻である。基準時刻（ｃ）は、基準時刻（ａ）から前記一定時間進めてシフトした時刻である。一定時間は、例えば、１時間、３０分など区切りのいい時間である。基準時刻（ａ）からシフトする時間は、ユーザが任意で設定できる。
【００６７】
ユーザがタッチパッド１０ａで右上方向へのカーソルの移動を入力した場合、制御モジュール４２は、チャンネル２の列の右側であるチャンネル３の列から基準時刻（ｂ）にかかる番組Ｃのマスにカーソルを移動する。同様に、ユーザがタッチパッド１０ａで右下方向へのカーソルの移動を入力した場合、制御モジュール４２は、チャンネル２の列の右側であるチャンネル３の列から基準時刻（ｃ）にかかる番組Ｂのマスにカーソルを移動する。
【００６８】
ユーザがタッチパッド１０ａで左上方向へのカーソルの移動を入力した場合、制御モジュール４２は、チャンネル２の列の左側であるチャンネル１の列から基準時刻（ｂ）にかかる番組Ｄのマスにカーソルを移動する。同様に、ユーザがタッチパッド１０ａで左下方向へのカーソルの移動を入力した場合、制御モジュール４２は、チャンネル２の列の左側であるチャンネル１の列から基準時刻（ｃ）にかかる番組Ｅのマスにカーソルを移動する。つまり、斜め方向へのカーソルの移動は、ＥＰＧ画面における各番組のマスの配置ではなく、基準時刻（ｂ）、基準時間（ｃ）を基準としている。
【００６９】
以上のように、ユーザが、斜め方向のカーソルの移動を入力した場合、カーソルが効率よく各番組のマス間を移動するので、ＥＰＧ画面上における番組の選択の利便性が向上する。
【００７０】
次に、写真リスト表示画面におけるタッチパッド１０ａを用いたコマンドの入力について説明する。図９は、映像表示器６１に表示した写真リスト表示画面を示す図である。ユーザは、リモートコントローラ１０の所定のキーを押下すると、制御モジュール４２は、映像表示器６１の表示を写真リスト表示モードに切り替える。ユーザは、リモートコントローラ１０を用いて写真データを記憶している機器を選択する。ユーザは、内蔵ＨＤＤ４６、メモリカード６６、ＵＳＢ端子６８に接続されたＵＳＢ機器、ＬＡＮ端子６７に接続されたサーバ等を選択することができる。
【００７１】
制御モジュール４２は、図９に示すように、選択された機器に保存されている複数枚の写真データを写真リストとして映像表示器６１の画面の下段に並べて表示する。さらに、写真リストのいずれかにカーソルが位置する状態でユーザがリモートコントローラ１０の決定キー１０ｂを押下した場合、制御モジュール４２はカーソルが位置する写真を映像表示器６１の画面の中央に拡大して表示制御する。
【００７２】
制御モジュール４２は、ユーザがタッチパッド１０ａを用いたカーソルの方向移動、左方向移動キー１０ｅおよび右方向移動キー１０ｆの押下を並行（同時）で入力した場合であっても、写真リストにおいて左右方向へカーソルを移動する。さらに、写真が映像表示器６１の画面の中央に拡大して表示されている場合、制御モジュール４２は、ユーザによるタッチパッド１０ａを用いた左右方向への９０度回転、拡大、縮小などのコマンドの入力に基づいて写真の表示を変更できる。
【００７３】
次に、録画番組リスト表示画面におけるタッチパッド１０ａを用いたカーソルの方向移動について説明する。図１０は、映像表示器６１に表示した録画番組リスト表示画面を示す図である。ユーザがリモートコントローラ１０の所定のキーを押下すると、制御モジュール４２は映像表示器６１の表示を録画番組リスト表示モードに切り替える。ユーザは、リモートコントローラ１０を用いて録画番組をしている機器を選択できる。ユーザは、内蔵ＨＤＤ４６、ＵＳＢ端子６８に接続されたＨＤＤ等を選択することができる。
【００７４】
制御モジュール４２は、図１０に示すように、選択された機器に保存されている録画番組データを録画番組リストとして映像表示器６１の画面にマトリクス状にサムネイル表示する。図１０は、１画面に３×３のマトリクスで映像表示器６１に録画番組が表示されている例である。
【００７５】
制御モジュール４２は、ユーザによるタッチパッド１０ａを用いたカーソルの方向移動の入力に基づいて、録画番組リストにおいて８方向へカーソルを移動する。したがって、ユーザは、例えば右上方向にカーソルを移動したい場合であっても、上方向移動キー１０ｃの押下、右方向移動キー１０ｆの押下の２回の操作を踏むことなく、タッチパッド１０ａの１回の操作をすればよい。
【００７６】
制御モジュール４２は、ユーザがタッチパッド１０ａを用いたカーソルの方向移動の入力、上方向移動キー１０ｃ等の方向移動キーの押下を並行でした場合であっても、写真リストにおいて左右方向へカーソルを移動する。
【００７７】
制御モジュール４２は、タッチパッド１０ａを用いた入力のみが有効の場合、タッチパッド１０ａ及び方向移動キーによる並行した入力が有効の場合を判別して、設定された条件に基づいて制御する。
【００７８】
ここでは、映像表示器６１が録画番組をサムネイル表示した場合について説明したが、現在放送中の番組をサムネイル表示する場合であっても同様である。つまり、制御モジュール４２は、視聴用地上デジタル放送チューナ１７、第１の録画用地上デジタル放送チューナ１９から第８の録画用地上デジタル放送チューナ３３の８つのチューナで選局した放送信号に基づく映像をサムネイルで表示制御することができる。
【００７９】
上記説明したように、本実施形態は、ユーザがタッチパッドやマウス等の連続的にＸ、Ｙ座標情報を送信するリモートコントローラ１０を用いて映像表示器６１などのＧＵＩ画面に対話的に命令する場合、タッチパッド１０ａを指でなぞるだけでカーソルの方向移動とコマンドのマニュプレーシをモード切り替えなしに入力することができる。
【００８０】
本実施形態は、図１に示すデジタルテレビジョン放送受信装置１に適用できる旨を説明したが、これに限られない。本実施形態は、図１に示す構成から少なくとも映像表示器６１およびスピーカ６２を除いたセットトップボックス型に対しても適用できる。
【００８１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８２】
１…デジタルテレビジョン放送受信装置、１０…リモートコントローラ、１０…タッチパッド、４２…制御モジュール、４５…不揮発性メモリ、６１…映像表示器、１０１…ＧＵＩ制御モジュール、１０２…メモリ…、１０３…送信モジュール。
【図１】
2011082609.tif 000003
【図２】
2011082609.tif 000004
【図３】
2011082609.tif 000005
【図４】
2011082609.tif 000006
【図５】
2011082609.tif 000007
【図６】
2011082609.tif 000008
【図７】
2011082609.tif 000009
【図８】
2011082609.tif 000010
【図９】
2011082609.tif 000011
【図１０】
2011082609.tif 000012